Podtech/llm-jp-corpus-v4-ja_patent huggingface dataset:
(57)【要約】      （修正有）【課題】ダンプトラックで袋状の積荷を輸送する場合、外部に露出しない事や内容物（汚染水等）が漏出させないようにするダンプトラック輸送用荷台シートユニットを提供する。【解決手段】鋼管を用い支柱、上梁、中間梁、基礎梁で構成される柵型のフレームと、箱型の成形体からなる下部シートをフレーム内に設置し、箱型の成形体からなる上部シートをフレームの外側へ被せ、下部シートと上部シートを中間梁で連結し、各支柱に固縛帯吊具と固縛帯を設けた。下部シートで内容物（汚染水等）が漏出するのを防止し、上部シートで雨水流入防止や暴露防止を果たし、固縛装置により積荷のずれ転倒を防ぎ健全な輸送を可能とする。【選択図】図３
0003215723.tif 000002
【実用新案登録請求の範囲】
【請求項１】
ダンプトラック荷台に上部・下部シートをフレームにより連結された装置により積荷の暴露防止や漏出防止、及び内蔵の固縛装置でずれ・転倒防止ができるシートユニット。
【考案の詳細な説明】
【技術分野】
【０００１】
本考案は、ダンプトラック用密閉式荷台シートユニットに関するものである。
【背景技術】
【０００２】
東日本大震災での福島第一原発事故によって汚染された地域の除染作業によって発生した土壌フレコンを中間貯蔵施設に大量に集約輸送するにあたり、安全かつ効率的で、輸送経路である各市町村の環境保全のため汚染物質の拡散防止を図る必要がある。
【０００３】
しかし、機動性・台数確保の面から選定された輸送車両が１０ｔダンプトラックであり一般的な荷台シートでは雨天時の雨水流入や内容物質漏出を防ぐには不十分であり、輸送時の積載物転倒を防止する装置もない状態であった。
【０００４】
また、漏水防止シート掛けや固縛作業も補助員が必要であるなど効率が悪い状況であった。
【０００５】
この改善策として、荷台にフレームを設ける事で流出防止下部シートや上部シートの固定や連結し密閉性を高め、積載物固縛装置などを設置することが可能となり輸送の健全性が図れる。
また、上下シートをファスナーで開閉することでバンドかけなどの補助員が不要となり効率的な作業が行える。
【考案の概要】
【考案が解決しようとする課題】
【０００６】
解決しようとする問題点はダンプトラックが土砂等の運搬を目的とした構造をなしており雨水防止や漏水防止また荷崩れ防止に対応する必要がある
【課題を解決するための手段】
【０００７】
本考案は、荷台上に鋼製フレームを設置して下部シート・上部シート・固縛装置を連携させることを最も主要な特徴とする。
【考案の効果】
【０００８】
本考案のシートユニットは鋼製フレームを持つことにより上部・下部シートの形状保持や連結構造を構築し暴露防止・漏出防止を図れると共に荷崩れ防止装置を設けることができるという利点がある。
【図面の簡単な説明】
【０００９】
【図１】図１は積込の実施方法を示した説明図である。
【図２】図２はシート掛けの実施方法を示した説明図である。
【図３】図３はユニット作業の流れを示した説明図である。
【図４】図４はユニット断面を示した説明図である。
【考案を実施するための形態】
【００１０】
ユニットフレームは鋼管構造体で中間梁により上下シートの連結をおこないフレーム内側に下部シート外側に上部シートとすることによって雨水の浸入を防ぎ、各支柱に固縛帯を吊り込み、積込後簡単にフレコン同士を固縛し転倒防止対策を実現した。
【実施例】
【００１１】
図１は、本考案装置の積込実施例の姿図であり、箱型形状の下部シートで漏出防止する。
【００１２】
図２は、本考案装置の上部シート掛け実施例の姿図であり、下部シートとの連結で暴露・飛散防止する。
【００１３】
図３は、シートユニット作業一連の流れを示した説明図であり安全かつ効率的な作業が可能となる。
【００１４】
図４は本考案装置の断面図であり、鋼製フレーム・上部シート・下部シート・保護マット・固縛帯・固縛帯吊具・車体固定ワイヤーからなる構造体である。
【００１５】
鋼製フレームは荷台内で支柱・上梁・中間梁・基部梁で構成され荷台上で作業する作業中の安全柵としても機能する。
【００１６】
上部シートはフレーム外側に被さる箱型の成形体で雨水流出防止を果たし、フレーム中間梁に結束され、側面にファスナーを有し開閉が容易となる構造である。
【００１７】
下部シートはフレーム内側に収まる箱型の成形体で漏出防止やフレーム中間梁に結束され上部シートとの連結構造で暴露防止となる構造である。
【００１８】
また、下部シート後方下部に設けたドレーン装置により、下部シート内に貯留された汚染水を集水し処理することができる。
【００１９】
下部シート下に設置された保護マットにより積載時の衝撃を吸収しシートの損傷を軽減し、作業員の転倒衝撃にも役立つ。
【００２０】
下部シート内の固縛帯はフレーム中間梁に設けた固縛帯吊具により高さを保持し重心高さでの固縛作業を容易なものとする。
【００２１】
フレーム支柱に設けたワイヤー・ターンバックルで荷台に緊締させユニットのずれ止めを行う。
【産業上の利用可能性】
【００２２】
上部シートにアコーデイオン形状を持たせ電動開閉機能を持たせれば危険物等の隔離すべき積荷も作業員が近づかないで積込が可能となる。
【符号の説明】
【００２３】
１０    上部シート
１１    開閉ファスナー
２０    下部シート
２１    シートドレーン
３０    フレーム支柱
３１    フレーム上梁
３２    フレーム中間梁
３３    フレーム基部梁
４０    固縛帯
４１    固縛帯吊具
５０    固定ワイヤー
５１    ターンバックル
【図１】
0003215723.tif 000003
【図２】
0003215723.tif 000004
【図３】
0003215723.tif 000005
【図４】
0003215723.tif 000006
【手続補正書】
【提出日】平成30年1月21日(2018.1.21)
【手続補正１】
【補正対象書類名】実用新案登録請求の範囲
【補正対象項目名】全文
【補正方法】変更
【補正の内容】
【実用新案登録請求の範囲】
【請求項１】
鋼管を用い支柱、上梁、中間梁、基礎梁で構成される柵型のフレームと、箱型の成形体からなる下部シートを前記フレーム内に設置し、箱型の成形体からなる上部シートを前記フレームの外側へ被せ、前記下部シートと前記上部シートを中間梁で連結し、各支柱に設ける固縛帯吊具により吊られる固縛帯を設けたことを特徴とするダンプトラック輸送用荷台シートユニット。
(57)【要約】      （修正有）【目的】鏡を磨く面を固体化する事により、強固な汚れを落とすことが容易な鏡磨きクリーナーを提供する。【構成】台座１に固形研磨材もしくは軽石２を張り付けることを特徴とする。【選択図】図３
0003215730.tif 000002
【実用新案登録請求の範囲】
【請求項１】
鏡磨きクリーナーの台座（１）に固形研磨材もしくは軽石（２）を張り付けた鏡磨きクリーナー。
【考案の詳細な説明】
【考案の詳細な説明】
【産業上の利用分野】
【０００１】  この考案は、クリーナーの台座に固形研磨材もしくは軽石を張り付けた鏡磨きクリーナーに関するものである。
【背景技術】
【０００２】  従来、お風呂の鏡の汚れを落とすクリーナには練り物、液状、そして粉状の物がある。
【考案が解決しようとする課題】
【０００３】  これは、次のような欠点があった。
（イ）風呂場の鏡の汚れは、水垢・油脂がこびり付き大変落としにくいものであった。
（ロ）従来、粉や練り物、液状等のクリーナーはあるが、これらを用い風呂場の鏡を磨いてもなかなか落ちにくいものがあった。
（ハ）又汚れの芯まで取る事が難易な為、洗浄のあと汚れが元に戻ってしまうことが多かった。
本考案は、これらの欠点を除く為になされたものである。
【課題を解決する為の手段】
【０００４】鏡磨きクリーナーの台座（１）に、固形研磨材又は軽石（２）を張り付ける。
本考案は、以上のような構成よりなるお風呂の鏡磨きクリーナーである。
【作用】
【０００５】      台座（１）に鏡を磨く面として、固形研磨材又は軽石（２）を張り付け使用する。
【実施例】
【０００６】      以下本考案の実施例について説明する。
（イ）台座（１）に固形研磨材又は軽石（２）を張り付ける。
本考案は、以上のような構成でこれを使用する時は（２）の表面に少量の潤滑材をつけ鏡を磨くものである。
【考案の効果】
【０００７】鏡を磨く面を固形研磨材とする事により、頑固な汚れも簡単に落とすことが出来る。
【図面の簡単な説明】
【図１】  本考案の横面図である。
【図２】  本考案の裏表の面である。
【図３】  本考案の実施例を示す斜視図である。
【符号の説明】  （１）台座
（２）固形研磨材  又は軽石
0003215730.tif 000003
【図３】
0003215730.tif 000004
【手続補正書】
【提出日】平成30年2月15日(2018.2.15)
【手続補正１】
【補正対象書類名】図面
【補正対象項目名】全図
【補正方法】変更
【補正の内容】
【図１】
0003215730.tif 000005
【図２】
0003215730.tif 000006
【図３】
0003215730.tif 000007
(57)【要約】      （修正有）【課題】薬品一包化包装シートを提供する。【解決手段】薬品一包化包装シートの折れ線部分の上下左右に丸みを設ける。これによって、薬を服用するとき又は携帯するとき、何ら不安を感じずに、小分けに切り離すことができ、気楽に服用できる。不安を解消できる。【選択図】図４
0003215724.tif 000002
【実用新案登録請求の範囲】
【考案の詳細な説明】
【技術分野】
【０００１】  本考案は、薬を飲むとき、又は携帯するときの不安をなくすために考案した。【０００２】  薬を飲むとき又は携帯するときなぞ、薬品一包化包装の点線（折れ線）の部分に沿って切り離さなければならない。
【考案の概要】
【考案が解決しようとする理由】
【０００３】  薬品一包化包装の点線（折れ線）の部分に沿って切り離すと必ず四隅に鋭利な角ができる。  薬を飲むとき又は携帯するときなぞ、薬品一包化包装の点線（折れ線）部分を切り離した時、四隅にできた鋭利な角で、指先や掌を突っつき、又旅先などで薬の服用時に個々に薬をつまみ出す時等、ややもすると私ごとになりますが、四隅にできた鋭利な角で指先を突っつき血がにじんだこともあり、他人様にこの様な事が及ばぬようにと考案した。
【課題を解決するための手段】
【０００４】  本考案は、薬品一包化包装の点線（折れ線）部分の上下に丸みを設けることによって、薬を飲むとき又は携帯するとき、薬品一包化包装の点線（折れ線）部分に沿って切り離しても何ら不安を感じずに薬を服用でき不安が解決できた。
【考案の成果】
【０００５】  しかるに、上記の説明により、薬を飲むとき又は携帯するとき、家族と談話をしながら手元を見ずとも小分けに切り離すことができ、気楽に分割ができる。
【図面の簡単な説明】
【０００６】
【図１】  従来の薬品一包化包装の平面図である。
【図２】  従来の薬品一方化包装の断面図である。
【図３】  従来の薬品一包化包装分割部分平面図
【図面の簡単な説明】
【０００６】
【図４】  新規薬品一包化包装平面図
【図５】  新規薬品一包化包装分割部分平面図
【明細書】
【考案を実施するための形態】
【０００７】  本考案は、薬品一包化包装の点線（折れ線）部分にの上下に丸みを設けることによって、薬を飲むとき又は携帯するとき、薬品一包化包装の点線（折れ線）部分に沿って切り離しても何ら不安を感じずに薬を服用でき不安が解決できた。
【実施例】
【０００８】  しかるに本考案は、薬を服用するとき何ら不安を感じずに、薬品一包化包装の薬の取り出しに点線（折れ線）部分を気にすることなく薬を分割でき、服用時の不安を解決できた。
【図１】
0003215724.tif 000003
【図２】
0003215724.tif 000004
【図３】
0003215724.tif 000005
【図４】
0003215724.tif 000006
【図５】
0003215724.tif 000007
【図６】
0003215724.tif 000008
【手続補正書】
【提出日】平成30年1月22日(2018.1.22)
【手続補正１】
【補正対象書類名】実用新案登録請求の範囲
【補正対象項目名】全文
【補正方法】変更
【補正の内容】
【実用新案登録請求の範囲】
【請求項１】
薬品一包化シート（１０錠入り）の折れ線部分（点線部分）の上下左右に丸みを有することを特徴とする、薬品一包化シート（１０錠入り）
【手続補正２】
【補正対象書類名】明細書
【補正対象項目名】全文
【補正方法】変更
【補正の内容】
【考案の詳細な説明】
【技術分野】
【０００１】本考案は、薬を服用時に又は携帯するときの不安をなくすために考案した。【０００２】薬の服用時又は携帯するときなぞ、お医者様の処方によって薬品一包化包装シート（１０錠入り）の点線（折れ線）の部分に沿って切り離した時（図３）の様に新規の角ができる。
【考案の概要】
【考案が解決しようとする理由】
【０００３】  薬品一包化包装シート（１０錠入り）の点線（折れ線）の部分に沿って切り離すと必ず四隅に鋭利な角（図３）ができる。  薬を服用するとき又は携帯するときなぞ、従来の薬品一包化包装シート（１０錠入り）では、点線（折れ線）部分を切り離した時（図３）、四隅にできた鋭利な角で、指先や掌を突っつき、又旅先などで薬の服用時に個々に薬をつまみ出す時等、ややもすると、私ごとになりますが、四隅にできた鋭利な角で指先を突っつき血が滲んだこともあり、他人様にこの様な事が及ばぬようにと考案した。
【課題を解決するための手段】
【０００４】本考案は、薬品一包化包装シート（１０錠入り）の点線（折れ線）部分の上下左右に丸みを設ける（図４）ことによって、薬を封用するとき又は携帯するとき、新規薬品一包化包装シート（１０錠入り）では点線（折れ線）部分に沿って切り離しても（図５）何ら不安を感じずに薬を服用でき不安が解消できた。
【考案の成果】
【０００５】  しかるに、上記の構造により、薬を服用するとき又は携帯するとき、家族と談笑しながら手元を見ずとも小分けに切り離す（図５）ことができ、気楽に服用ができる。
【図面の簡単な説明】
【０００６】
【図１】  従来市販されている薬品一包化包装シート（１０錠入り）の平面図、四隅が丸くなっている。
【図２】  従来市販されている薬品一方化包装シート（１０錠入り）の断面図である。
【図３】  従来市販されている薬品一包化包装シート（１０錠入り）の薬品服用分割時に新規にできる角である。
【図４】  新規薬品一包化包装シート（１０錠入り）点線部分の上下左右に新規に丸みを設けた平面図である。
【図５】  新規薬品一包化包装シート（１０錠入り）分割時の平面図
【図６】  新規薬品一包化包装シート（１０錠入り）を小分割したとき四隅の角が丸くなっており、平時家庭でも、携帯時にも誠に安心である
【考案を実施するための形態】
【０００７】  本考案は、薬品一包化包装シートの点線（折れ線）部分の上下左右に丸みを設ることによって、薬を服用するとき又は携帯するときなぞ、新規の薬品一包化包装シート（１０錠入り）は、点線（折れ線）部分に沿って切り離しても何ら不安を感じることなく薬を服用でき、不安が解消できた。
【実施例】
【０００８】  しかるに本考案は、薬を服用するとき何ら不安を感じずに、新規薬品一包化包装シート（１０錠入り）では、点線（折れ線）を気にすることなく小分割部分を取り出すことができ、安心して服用できる。
【手続補正４】
【補正対象書類名】図面
【補正対象項目名】全図
【補正方法】変更
【補正の内容】
【図１】
0003215724.tif 000009
【図２】
0003215724.tif 000010
【図３】
0003215724.tif 000011
【図４】
0003215724.tif 000012
【図５】
0003215724.tif 000013
【図６】
0003215724.tif 000014
(57)【要約】【課題】整体等において施療ポジションと押圧部材を安定化させ、施療者にとって一層の負担軽減と使用感向上をはかると同時に装置の耐久性を一層向上させるような押圧補助用具を提供すること。【解決手段】寝台１の上方において水平縦方向に架設された丸棒状支柱２に対し、これを第一縦方向回転軸２として側方向に伸びるハンドル体３を回動及び滑動可能状に取付け、該ハンドル体３の第一縦方向回転軸２寄りの位置に第二縦方向回転軸４を設け、これに中央より対称的に両側に伸びる棒状押圧体５の該中央部をハンドル体３を挟むように、或いはそれに挟まれるように回動可能状に取付ける。【選択図】図１
0003215747.tif 000002
【実用新案登録請求の範囲】
【請求項１】
寝台の上方において水平縦方向に架設された丸棒状支柱に対し、これを第一縦方向回転軸として側方向に伸びるハンドル体を回動及び滑動可能状に取付け、該ハンドル体の第一縦方向回転軸寄りの位置に第二縦方向回転軸を設け、これに中央より対称的に両側に伸びる棒状押圧体の該中央部を該ハンドル体を挟むように、或いはそれに挟まれるように、回動可能状に取付けたことを特徴とする整体等補助装置における押圧補助用具。
【考案の詳細な説明】
【考案の詳細な説明】
【技術分野】
【０００１】この考案は、整体や指圧等の補助装置の部材である押圧補助用具に関する。
【背景技術】
【０００２】整体や指圧等において施療者はかなり手指を酷使するため、その負担を軽減するための整体補助装置が既に提案・開示されている。【０００３】
【特許文献１】特開平７−２４１３２８
【考案の開示】
【考案が解決しようとする課題】
【０００４】かかる整体補助装置において、施療者は直接指で押圧することなく、てこの原理によるハンドル操作で手指の負担を著しく軽減できることが判明した。しかしながら実際の施療を続けるにあたり、被施療者に対する押圧位置に応じて施療者のポジションが不安定になったりポジション変更が大掛かりになりがちであり、また押圧部材の取付け箇所が傷みやすいなどの問題点があった。【０００５】本考案はこのような問題点を解決して施療ポジションと押圧部材を安定化させ、施療者にとって一層の負担軽減と使用感向上をはかると同時に装置の耐久性を一層向上させるような押圧補助用具を提供することを課題とする。
【課題を解決するための手段】
【０００６】寝台１の上方において水平縦方向に架設された丸棒状支柱２に対し、これを第一縦方向回転軸２として側方向に伸びるハンドル体３を回動及び滑動可能状に取付け、該ハンドル体３の第一縦方向回転軸２寄りの位置に第二縦方向回転軸４を設け、これに中央より対称的に両側に伸びる棒状押圧体５の該中央部をハンドル体３を挟むように、或いはそれに挟まれるように回動可能状に取付けて、本考案の押圧補助用具とする。【０００７】これを用いる施療者は、寝台１の傍らもしくは上の立ち位置（ポジション）で、うつ伏せ状の被施療者の押圧位置をハンドル体３の丸棒状支柱２上の滑動と棒状押圧体５の回動により探り定めて、てこの原理応用によりハンドル体３に加えた僅かな力を棒状押圧体５に伝えてその先端で押圧する。【０００８】その際、被施療者の押圧位置が右半身から左半身に移るなど施療者がポジション変更を余儀なくされる事態がしばしばおきる。ところが本考案においては棒状押圧体５が中央の第二縦方向回転軸４から両側に伸びているので反対側先端にも別の押圧部があるから、施療者は同じポジションのままでハンドル体３を反対側に回して棒状押圧体５の別の押圧部を使い、そのまま押圧を続けることができる。そのときに第二縦方向回転軸４に取付けた棒状押圧体５を大きく回転させる必要がないと同時に、棒状押圧体５はほぼ左右対称で重心が第二縦方向回転軸付近にあるから、甚だ安定感がありぶれがおこりにくい。【０００９】またこのように棒状押圧体５が回転軸から両側に伸びていると、施療者は例えば図２のような寝台上のポジションで棒状押圧体５の押圧しない側を膝で止めて位置定めをしつつ押圧施療をすることも可能となる。【００１０】更にこのような多種多様な力が頻繁に加わる第二縦方向回転軸５は、本考案ではその連結部におけるハンドル体３と棒状押圧体５とが互いに挟むか挟まれる形になっているため、加わる力の片寄りがないためきしまず動きがスムーズで、装置の耐久性が著しく向上する。
【考案の効果】
【００１１】既に随所で述べたように、本考案によれば施療者が押圧位置の変動に伴うポジション変更を大掛かりに行う必要がなく、安定かつスピーディーな施療ができると同時に、装置（用具）も動きがスムーズで傷みにくく、耐久性が増すなどの効果がある。
【考案を実施するための形態】
【００１２】寝台１の前後端にアーチ型の基礎支柱を設けてこれに金属製丸棒状支柱２を高さ調整可能状に数十ｃｍ上方において水平に架設し、これにその外径に内径が略等しく回動及び滑動可能な短パイプを通してその側方向に数十ｃｍ伸びる角棒状のハンドル体３を垂設する。ハンドル体３の長さの短パイプ寄り約１／５の位置に金属製の第二縦方向回転軸４を前記の丸棒状支柱２と平行に固設してその両端を突出させ、中央にかけて二股に分かれハンドル体３を挟むような形状で両端に指圧に適した押圧部を有する数十ｃｍ長の棒状押圧体５を、その中央部に設けた貫通孔において必要に応じベアリングを介し第二縦方向回転軸４の両端突出部に回動可能状に取付ける。上記各部材はステンレス製とする。なお本考案はかかる例に限定されるものではない。
【産業上の利用可能性】
【００１３】本考案の整体等補助装置における押圧補助用具は実際の施療現場においてニーズが高く、設計及び製造上の難点もないから、産業上の利用可能性は十分にあるといえる。
【図面の簡単な説明】
【００１４】
【図１】本考案一例の見取図
【図２】本考案使用時一例の見取図
【符号の説明】
【００１５】  １……寝台
２……丸棒状支柱・第一縦方向回転軸
３……ハンドル体
４……第二縦方向回転軸
５……棒状押圧体
【図１】
0003215747.tif 000003
【図２】
0003215747.tif 000004
(57)【要約】      （修正有）【課題】透明樹脂板の裏面に木目柄等の意匠印刷を施し、透明樹脂板の上方より意匠を見た時、視覚的に深みを感じさせる図柄となる積層板を提供する。【解決手段】木目柄等、４色以上の掛け合わせ印刷した意匠印刷層３を有する樹脂フィルム４の表面上に、さらに、透明樹脂板１を粘着糊２で貼り合わせた積層構造を有し、透明樹脂板の上方より意匠面を見ると光の屈折率効果により意匠面が深みのある図柄として認識される。【選択図】図１
0003215745.tif 000002
【実用新案登録請求の範囲】
【請求項１】
本考案は木目柄等の意匠印刷上に糊引きした樹脂フィルム表面の上に、さらに、透明樹脂板を貼り合わせた積層構造を有し、同透明樹脂板の上方より意匠面を見ると光の屈折率効果により意匠面が深みのある図柄として認識される機能を有するところを特徴とする積層板
【考案の詳細な説明】
【技術分野】
【０００１】  本考案は樹脂フィルムの表面に木目柄・石目柄・和紙柄等、４色以上の掛け合わわせ印刷した意匠面上に糊引き後、その上に厚みが１ｍｍ以上の透明樹脂脂板を貼り合わせた積層構造を有する板であり、同意匠面を透明樹脂板の上方より見ると光の屈折率効果により意匠面が透明樹脂板を通して深みのある図柄として認識されるところを特徴とする積層板に関する。
【背景技術】
【０００２】  一般に、１ｍｍ厚未満のフィルムはロール状に巻き取ることができるためグラビア印刷等にてフィルム裏面に４色以上、掛け合わせて印刷すれば木目柄等の意匠をある程度、深みを感じさせる意匠を形成できる。しかし、１ｍｍ厚以上になるとフィルムをロール状に巻き取ることが難しくなるため木目柄等のグラビア印刷自体も困難になる。０．６ｍｍ厚以上の枚葉（平板）シートは印刷機械設備上、オフセット印刷で裏刷りするのが困難である。スクリーン印刷では木目柄等の掛け合わせ印刷は困難である。
【考案の概要】
【考案が解決しようとする課題】
【０００３】  本考案は１ｍｍ厚以上の透明樹脂板の裏面に木目柄等の意匠印刷を施し、同透明樹脂板の上方より意匠を見た時、深みを感させる図柄を形成するのが課題である。
【課題を解決するための手段】
【０００４】  本考案は樹脂フィルムの表面に木目柄等、４色以上の掛け合わせ印刷した意匠面上に糊を介する等して透明樹脂板を貼り合わせた積層板を形成する。
【考案の効果】
【０００５】  本積層板の上方より意匠印刷面を見ると光の屈折率効果により同意匠面が視覚的に深みのある図柄として認識される機能を有する積層板を形成できる。
【図面の簡単な説明】
【０００６】
【図１】  透明樹脂板／糊／意匠印刷層／樹脂フィルム積層板の断面図
【考案を実施するための形態】
【０００７】  樹脂フィルム表面に意匠印刷を施し、その上に、接着剤としての糊引きをし、さらに、透明樹脂板を貼り合わせた積層構造を有し、同透明樹脂板の上方より意匠面を見ると光の屈折率効果により意匠面が視覚的に深みのある図柄として認識される機能を有するところを特徴とする積層板を形成する。
【実施例】
【０００８】  表面に木目柄をグラビア印刷した０．１４ｍｍ厚のロール状ＰＰフィルムの意匠上に粘着糊を塗工し、その上に３ｍｍ厚の透明樹脂板を貼り合わせた積層構造を有し、同透明樹脂板の上方より意匠面を見ると光の屈折率効果により意匠面が深みのある図柄として認識される機能を有する積層板を形成する。
また、意匠印刷した樹脂フィルムの色が透けて見える場合の隠ぺい性向上のためや同フィルムの裏面強度アップのために、同フィルムの裏面に糊を介す等して他の樹脂フィルムや樹脂板をバッカー材（裏面層）として貼り合わせる場合もある。
【産業上の利用可能性】
【０００９】  前項において、視覚的に深みを感じさせる木目柄等の意匠印刷を施した本考案による積層板は商品ＰＲ用ディスプレイ材、浴室壁面材等の建材用板材等として活用され、同積層板を真空成形等してダッシュボード等の自動車用内装部品としても活用される。
【符合の説明】
【００１０】  １    透明樹脂板
２    糊（接着剤または粘着剤）
３    意匠印刷層
４    樹脂フィルム
【図１】
0003215745.tif 000003
(57)【要約】      （修正有）【課題】より早く体を温める事ができるホット毛布を提供する。【解決手段】毛布に電熱線と交換可能な乾電池もしくは蓄電池を内蔵し、携帯用および緊急用として使用する。【選択図】図１
0003215740.tif 000002
【実用新案登録請求の範囲】
【請求項１】
毛布に電熱線と乾電池もしくは蓄電池を内蔵し、携帯用および緊急用として使用するホット毛布です。
【考案の詳細な説明】
【技術分野】
【０００１】毛布に電熱線と乾電池もしくは蓄電池を内蔵し、携帯用および緊急用として使用するホット毛布です。
【考案の概要】
【考案が解決しようとする課題】
【０００２】寒い日や、例えば誤って川に落ちてしまった時、飛行機墜落事故、船舶の事故時等に普通の毛布より、より早く体を温める事が可能です。
【考案の効果】
【０００３】寒い日や、例えば誤って川に落ちてしまった時、飛行機墜落事故、船舶の事故時等に普通の毛布より、より早く体を温める事が可能です。
【図面の簡単な説明】
【０００４】
【図１】ホット毛布の図面です。
【実施例】他の使用用途としては、山登りが好きな登山者やアウトドアライフの好きな方、魚釣りの好きな方、写真を撮るのが好きな方、バイクのツーリングが好きな方にも重宝してもらえると思います。
さらに、トイレに暖房の入っている家は非常に少ないので暖かく用を足してもらえます。
【産業上の利用可能性】特に医療分野の緊急時に活躍する可能性が大いに期待出来ると思います。
さらに、戦場カメラマン、俳優等、屋外で活動する仕事に就いている方の体を素早く暖めます。
【図１】
0003215740.tif 000003
(57)【要約】      （修正有）【課題】支圧板に接する構造物面に凹凸があっても構造物に均一な上揚力を与えることができる薄型ジャッキを提供する。【解決手段】環状の曲面部１２と、曲面部の内周上下に凹部を形成するように、曲面部と連続する上下１対の平坦部１３ａ、１３ｂとを有するジャッキ本体１０と、上側平坦部１３ａの上面及び下側平坦部１３ｂの下面にそれぞれ配置される上下１対の支圧板１１ａ、１１ｂとを備えた薄型ジャッキにおいて、上側支圧板１１ａの上下面及び下側支圧板１１ｂの上下面のうち、少なくとも上側支圧板の上面にゴム層からなるなじみ層１６を設けた。【選択図】図２
0003215788.tif 000002
【実用新案登録請求の範囲】
【請求項１】
環状の曲面部と、この曲面部の内周上下に凹部を形成するように、該曲面部と連続する上下１対の平坦部とを有するジャッキ本体と、前記上側平坦部の上面及び前記下側平坦部の下面にそれぞれ配置される上下１対の支圧板とを備えた薄型ジャッキにおいて、
前記上側支圧板の上下面及び前記下側支圧板の上下面のうち、少なくとも前記上側支圧板の上面になじみ層を設けたことを特徴とする薄型ジャッキ。
【請求項２】
前記なじみ層はゴム層からなることを特徴とする請求項１記載の薄型ジャッキ。
【請求項３】
前記ゴム層は感圧硬化型ゴムからなることを特徴とする請求項２記載の薄型ジャッキ。
【考案の詳細な説明】
【技術分野】
【０００１】
この考案は、薄型ジャッキに関し、さらに詳細には、注入材を注入することにより膨張して上揚力を発生させるジャッキに関する。
【背景技術】
【０００２】
橋梁の支承取り替え工事や支承補強工事等に使用するジャッキとして薄型ジャッキが知られている（例えば、特許文献１参照）。
【０００３】
この薄型ジャッキは、環状の曲面部と、この曲面部の内周上下に凹部を形成するように、該曲面部と連続する上下１対の平坦部とを有するジャッキ本体と、上側平坦部の上面及び下側平坦部の下面にそれぞれ配置される上下１対の支圧板とを備え、曲面部に水やモルタル等の注入材を注入することにより膨張する。この膨張により上下の平坦部間が離間して、上側の支圧板が上昇し構造物に上揚力を作用させるものである。
【０００４】
しかしながら、上揚力を作用させる構造物がコンクリート構造物などの場合、その下面すなわち支圧板に接触する面に凹凸があることが多く、このような場合構造物の接触面全体に均一な上揚力（圧力）を与えることができない。
【先行技術文献】
【特許文献】
【０００５】
【特許文献１】特開２０１４−９７８５６号公報
【考案の概要】
【考案が解決しようとする課題】
【０００６】
この考案は上記のような技術的背景に基づいてなされたものであって、次の目的を達成するものである。
この考案の目的は、支圧板に接する構造物面に凹凸があっても構造物に均一な上揚力を与えることができる薄型ジャッキを提供することにある。
【課題を解決するための手段】
【０００７】
この考案は上記課題を達成するために、次のような手段を採用している。
すなわち、この考案は、環状の曲面部と、この曲面部の内周上下に凹部を形成するように、該曲面部と連続する上下１対の平坦部とを有するジャッキ本体と、前記上側平坦部の上面及び前記下側平坦部の下面にそれぞれ配置される上下１対の支圧板とを備えた薄型ジャッキにおいて、
前記上側支圧板の上下面及び前記下側支圧板の上下面のうち、少なくとも前記上側支圧板の上面になじみ層を設けたことを特徴とする薄型ジャッキにある。
【０００８】
上記薄型ジャッキにおいて、前記なじみ層はゴム層からなる構成を採用することができる。また、前記ゴム層は感圧硬化型ゴムからなる構成を採用することができる。
【考案の効果】
【０００９】
この考案によれば、支圧板に接する構造物面に凹凸があっても構造物に均一な上揚力を与えることができる。
【図面の簡単な説明】
【００１０】
【図１】この考案の実施形態を示す平面図である。
【図２】図１のＡ−Ａ線矢視による断面図である。
【図３】この考案の別の実施形態を示す断面図である。
【考案を実施するための形態】
【００１１】
この考案の実施形態を図面を参照しながら以下に説明する。図１、図２は、この考案の実施形態を示し、図１は平面図、図２は図１のＡ−Ａ線矢視による断面図である。薄型ジャッキは、鋼板を加工して作られたジャッキ本体１０と、上下１対の支圧板１１ａ、１１ｂとを備える。
【００１２】
ジャッキ本体１０は環状の曲面部１２と、曲面部１２の内周上下に凹部を形成するように設けられた上下１対の平坦部１３ａ、１３ｂとを有している。これら平坦部１３ａ、１３ｂは曲面部１２と連続して設けられ、したがって平坦部１３ａ、１３ｂ間の間隙は曲面部１２の内部空間と連通している。
【００１３】
曲面部１２には、その内部空間に水やモルタルなどの注入材を注入するための注入管１４と、注入材の注入時に空気を排出するための排気管１５とが設けられている。
【００１４】
支圧板１１ａ、１１ｂは鋼材や強度のあるＦＲＰなどで作られている。これらの支圧板１１ａ、１１ｂはそれぞれ上側平坦部１３ａの上面及び下側平坦部１３ｂの下面に配置される。支圧板１１ａ、１１ｂの上下面は平坦面に形成され、外周は曲面部１２に接するように曲面に形成されている。
【００１５】
上側支圧板１１の上面にはなじみ層１６が接着等により設けられている。なじみ層１６はゴム層からなっている。なじみ層１６としてのゴム層には、圧力を加えると硬化する性質を持つ感圧硬化型ゴムを用いることが好ましい。
【００１６】
上記のように構成された薄型ジャッキは、例えばコンクリート橋における下部工２０と上部工であるコンクリート主桁２１との間に主桁２１を上揚させるために設置される。そして、注入管１４を介してジャッキ本体１０に注入材を注入すると、ジャッキ本体１０が膨張し、上下の平坦部１３ａ、１３ｂ間が離間する。
【００１７】
これにより、上側支圧板１１ａが上揚し、それに伴ってコンクリート主桁２１が上揚する。このとき、なじみ層１６はコンクリート主桁２１の下面に密着するので、凹凸が吸収されて上側支圧板１１ａとコンクリート主桁２１との密着性が高まり、コンクリート主桁２１には均一な上揚力が加わる。また、なじみ層１６に感圧硬化型ゴムを用いた場合は、なじみ層１６は圧力を受けて硬化することとなる。
【００１８】
図３は別の実施形態を示す断面図である。この実施形態では、なじみ層１６を上側支圧板１１ａの上面に加えて、下側支圧板１１ｂの下面にも設けている。このように、なじみ層１６を下側支圧板１１ｂの下面にも設けることにより、下側支圧板１１ｂと下部工２０との密着性が高まる。図示は省略するが、なじみ層１６は、さらに上側支圧板１１ａの下面及び下側支圧板１１ｂの上面に設けるようにしてもよい。すなわち、上側支圧板１１ａの上下面及び下側支圧板１１ｂの上下面の全部（計４面）になじみ層１６を設けるようにしてもよい。
【符号の説明】
【００１９】
１０：ジャッキ本体
１１ａ：上側支圧板
１１ｂ：下側支圧板
１２：曲面部
１３ａ：上側平坦部
１３ｂ：下側平坦部
１４：注入管
１５：排気管
１６：なじみ層
２０：下部工
２１：上部工（コンクリート主桁）
【図１】
0003215788.tif 000003
【図２】
0003215788.tif 000004
【図３】
0003215788.tif 000005
(57)【要約】      （修正有）【課題】義歯の着脱を容易にし、装着時には義歯を安定させ、発声と咀嚼の向上を図る装置を提供する。【解決手段】義歯３に取り付けたボックス５内の金属バネ４で歯根１に取り付けた金属ホルダー２に嵌め込んで義歯３を安定させる。【選択図】図１
0003215719.tif 000002
【実用新案登録請求の範囲】
【請求項１】
歯根面に止まり金具を設置し、義歯内面にはボックス内に線状バネを設置した装置を装着して、両者を嵌め込み義歯を安定させ咀嚼の向上を図る装置。
【請求項２】
歯根面の止まり金具（金属ホルダー）は図２で示してあるように長さ２．５ｍｍで直径２ｍｍの円柱の下に長さ２．５ｍｍで巾１．２ｍｍの首の部分を作り、その首の部分は直径１ｍｍの半円の空洞になっている装置。
【請求項３】
義歯側に装着する装置については図３で示してあるように、奥行１０ｍｍ幅６ｍｍ高さ３．５ｍｍの歯冠色レジン樹脂で出来た箱で、中には１．５ｍｍの間隔の開いた２本の直径０．８ｍｍ又は０．９ｍｍの長さ片側１２ｍｍで折れ曲がった平行の線状バネがあり、これが金属ホルダーに嵌まり込んで義歯を維持する装置。
【考案の詳細な説明】
【考案の詳細な説明】
【技術分野】
【０００１】  本考案は義歯の着脱を容易にし、装着時に義歯を安定させ、咀嚼を向上させるものである。
【背景技術】
【０００２】  類似したものはあるが、調整が難しい。例えば、マグネット方式はマグネットの磁力の低下や摩耗によって維持力の低下が早い。
【考案が解決しようとする課題】
【０００３】義歯の安定を図り言語の発声を回復させ、咀嚼能力を向上させる。
【課題を解決するための手段】
【０００４】  義歯の内面に線状バネを設置したボックスを埋設し、歯根面に設置した金属突起部分に嵌め込んで義歯の安定を図った。
本考案はボックス内の２本の線状バネの開け締めで強弱の調整が容易である。また、製作時の金属ホルダーについては焼却時に無害なポリエチレンテレフタレートを使用し、歯根ポストと共に選定した金属で鋳造する。
【考案を実施するための形態】
【０００５】以下、本考案の実施の形態について説明する。
（イ）歯根▲１▼に金属ホルダー▲２▼を設置する。
（ロ）義歯▲３▼に金属バネ▲４▼を内蔵したボックスを取り付ける。
【考案の効果】
【０００６】義歯の着脱が容易で装着後、義歯が口腔内で安定している。
これにより咀嚼の向上と発声の回復が期待できる。
【図面の簡単な説明】
【図１】本考案の側面から見た全体図で斜線部は断面図
【図２】本考案の金属ホルダーの図
【図３】本考案の金属バネを内蔵したボックスの図
【符号の説明】  １  歯根
２  金属ホルダー
３  義歯
４  金属バネ
５  ボックス
【図１】
0003215719.tif 000003
【図２】
0003215719.tif 000004
【図３】
0003215719.tif 000005
【手続補正書】
【提出日】平成29年11月28日(2017.11.28)
【手続補正１】
【補正対象書類名】実用新案登録請求の範囲
【補正対象項目名】全文
【補正方法】変更
【補正の内容】
【実用新案登録請求の範囲】
【請求項１】
歯根面に長さ２．５ｍｍで直径２ｍｍの円柱の下に
長さ２．５ｍｍで巾１．２ｍｍの首の部分を作り、
その首の部分は直径１ｍｍの半円の空洞になっている
金属ホルダーを設置する。
【請求項２】
奥行１０ｍｍ巾６ｍｍ高さ３．５ｍｍの歯冠色レジン樹脂で出来た箱で、その箱を片側から貫いた形の金属製円線。
直径０．８ｍｍ又は０．９ｍｍで１．２ｍｍの間隔をあけた長さ片側１２ｍｍで箱の外側の端で折れ曲がった直線バネがあるこの装置は義歯の内面に設置する。
【請求項３】
請求項１に記載の金属ホルダーに請求項２に記載の歯冠色レジン樹脂で出来た箱の中に金属製バネの入った装置を嵌め込み義歯を安定させ咀嚼の向上を図るための寺岡式アタッチメント。
【手続補正書】
【提出日】平成30年1月23日(2018.1.23)
【手続補正１】
【補正対象書類名】実用新案登録請求の範囲
【補正対象項目名】全文
【補正方法】変更
【補正の内容】
【実用新案登録請求の範囲】
【請求項１】
歯根面に金属ホルダーを設置し、義歯内面にはボックス内に線状バネを設置したボックスを装着して、線状バネを金属ホルダーに嵌め込み義歯を安定させ咀嚼の向上を図る装置。
【請求項２】
歯根面の金属ホルダーは長さ２．５ｍｍで直径２ｍｍの円柱の下に長さ２．５ｍｍで巾１．２ｍｍの首の部分を作り、その首の部分は直径１ｍｍの半円の空洞になっている、請求項１に記載の装置。
【請求項３】
義歯内面に装着するボックスは奥行１０ｍｍ幅６ｍｍ高さ３．５ｍｍの歯冠色レジン樹脂で出来たボックスで、中には１．５ｍｍの間隔の開いた２本の直径０．８ｍｍ又は０．９ｍｍの長さ片側１２ｍｍで折れ曲がった平行の直線バネがあり、前記線状バネが金属ホルダーに嵌まり込んで義歯を維持する、請求項１または２に記載の装置。
(57)【要約】      （修正有）【課題】同色の糸駒とボビンを上下に連結保持し、糸端がダラダラとほどけないようにする機能を備えたミシン糸駒とボビンの糸端処理具を提供する。【解決手段】下端に切込みを施した糸端押し込み部１ａと、その上に糸駒保持部１ｂと、その上端にボビン保持部１ｃとからなる弾性を持たせたＶ字形ピン１を形成し、その頭頂部につまみ部２を形成し一体化するように構成されたところを特徴とするミシン糸駒とボビンの糸端処理具を提供することにより、ミシン作業の効率の向上を図る。【選択図】図１
0003215356.tif 000002
【実用新案登録請求の範囲】
【請求項１】
下端に切込みを施した糸端押し込み部と、その上に糸駒保持部と、その上端にボビン保持部とからなる弾性を持たせたＶ字形ピンを形成し、その頭頂部につまみ部を形成し一体化するように構成されたところを特徴とするミシン糸駒とボビンの糸端処理具。
【考案の詳細な説明】
【技術分野】
【０００１】  本考案は、ミシン糸駒とボビンを上下に連結保持して糸端のほどけを防ぐ為の、ミシン糸駒とボビンの糸端処理具に関するものである。
【背景技術】
【０００２】  従来のミシン糸駒とボビンには、各々の構造や形状に於いて糸端を止める機能が無かったので、糸端がダラダラとほどけて糸端の処理が出来にくかった。
【先行技術文献】
【特許文献】
【０００３】
【特許文献１】特開２００７−０６８９５５  公報
【０００４】
【特許文献２】実登３１４９９４１  公報
【０００５】
【考案の概要】
【考案が解決しようとする課題】
【０００６】  従来、ミシン糸駒とボビンには各々の構造や形状に於いて、糸端を止める機能が無かったので、ダラダラとほどけ易いという欠点があった。又、糸駒とボビンは別々バラバラに保管していたので、使う時は同色の上糸と下糸の照合に手間が掛かって、不便とイライラでミシン作業の効率が悪いという問題点があった。【０００７】  従って、前述の欠点と問題点を解決する為の先行技術が有るが、［特許文献１］は、つまみ部分が無く小さ過ぎて扱いにくい。各々の糸端ははみ出たままで隠しきれず、見苦しいという欠点があった。［特許文献２］は、ピン先が広がっているので、一々ピンをつまんで先を小さくして糸端を押し込む方法は、高齢者や手指の不自由な人には、糸も見えづらくつまみにくく手間が掛かって不便であった。【０００８】  本考案は、前述の欠点と問題点を解決するために、糸駒とボビンを上下に連結保持し、双方の糸端を穴の中に押し隠し、糸端処理が出来る構造と形状を持たせたピンを形成することにより、前述の欠点と問題点を解決しようとするものである。
【課題を解決するための手段】
【０００９】  本考案は、下端に切込みを施した糸端押し込み部と、その上に糸駒保持部と、その上端にボビン保持部とからなる弾性を持たせたＶ字形ピンを形成し、その頭頂部につまみ部を形成し一体化するように構成されたところを特徴とするミシン糸駒とボビンの糸端処理具を提供することにより欠点と問題点を解決している。
【考案の効果】
【００１０】  本考案の弾性を持たせたＶ字形ピンは、糸端押し込み部に糸端を絡めてただ押し込むだけで、穴に入る時は縮まり穴の中では広がると言う作用を生かして、同色の上糸駒と下糸ボビンを連結保持して整理保管することにより、一目瞭然、見つけ易く取り出し易く、尚且つ、糸端を隠してほどけにくくし、糸端処理と裁縫箱の中の整理整頓が出来て、ミシン作業の効率が向上した。【００１１】  つまみ部に綺麗で可愛くて微笑ましい任意の装飾又はキャラクターを施したことにより気分も晴れやかイライラも解消され、ミシン作業の効率の向上に役立つ。
【図面の簡単な説明】
【００１２】
【図１】本考案のミシン糸駒とボビンの糸端処理具の正面図である。
【図２】本考案の斜視図である。
【図３】本考案の使用状態を示す斜視図である。
【考案を実施するための形態】
【００１３】  本考案は、耐久性と弾性を有する合成樹脂系の適宜素材で、ミシン糸駒穴約６ミリとボビン穴約６ミリに共通して貫通させる事が出来る厚み約２ミリ幅約５ミリのただ押し込むだけの構造と形状を持つ、弾性を持たせたＶ字形ピンを形成する。
そのＶ字形ピンの下端に、ギザギザの切込みを施した糸端押し込み部を形成し、その上部にミシン糸駒保持部とその上端にボビン保持部を形成し、その頭頂部に、例えば任意の装飾又はキャラクターを施したつまみ部を形成してこれらを一体化することにより、各々の穴にただ押し込むだけで、同色の上糸駒と下糸ボビンを連結保持出来る便利で手間いらずのＶ字形ピンを得ることにより、糸端処理具の役目を果たして問題点を解決している。
【実施例】
【００１４】  以下、添付図面に従って一実施例を説明する。
図１の弾性を持たせて形成したＶ字形ピン１は、１ａ糸端押し込み部、１ｂミシン糸駒保持部、１ｃボビン保持部とで構成されている。
先ず、ボビン３の穴に糸端を渡し、Ｖ字形ピン１の下端にある糸端押し込み部１ｃのギザギザの切込みに絡めて穴に押し込み、ボビン保持部１ｃで保持する。次に、ミシン糸駒４の穴に糸端を渡し、前記述と同じピンでその穴に押し込み、ミシン糸駒保持部１ｂで保持する。最後に、はみ出ている糸端を、つまみ部２でクルクルと回して穴の中でピンに絡めて隠すことにより、本考案のミシン糸駒とボビンの糸端処理具の目的を達成した。
外す時は、先ずミシン糸駒を引き抜き、次にボビンを引き抜く。
【産業上の利用可能性】
【００１５】  本考案は、縫製業及び家庭や学校などでミシン作業をする上で役立ち利用される。
糸駒とボビンの糸端処理具として、又、糸駒とボビンの連結保持具として裁縫箱の中の整理整頓に役立つ製品として製造する産業で利用される。
【符号の説明】
【００１７】  １．  Ｖ字形ピン
１ａ．糸端押し込み部
１ｂ．ミシン糸駒保持部
１ｃ．ボビン保持部
２．  つまみ部
３．  ボビン
４．  ミシン糸駒
【図１】
0003215356.tif 000003
【図２】
0003215356.tif 000004
【図３】
0003215356.tif 000005
(57)【要約】      （修正有）【課題】食器の水切りカゴと水道の間に設け、水切りカゴに入った食器に水等がかかり汚れることを防止する仕切り板を提供する。【解決手段】食器の水切りカゴと水道の間に設置する仕切り板であって、仕切り板の安定と撥水性を高める為、仕切り板本体１の材質は軽いプラスチックとし、仕切り板の底面を水切りカゴの下に敷けるようにする。また、仕切り板の底面に水が溜まることを防止する為に、仕切り板の底面に切込み２を入れ、水の通り道を作る。【選択図】図１
0003215396.tif 000002
【実用新案登録請求の範囲】
【請求項１】
食器の水切りカゴの横に設置することで、食器に向かい飛び跳ねる水滴が、食器に付着することを防ぐ仕切り板
【考案の詳細な説明】
【技術分野】
【０００１】    本考案は、食器の水切りカゴに向かい飛んでくる水滴から食器を守るための仕切り板に関するものである。
【背景技術】
【０００２】食器を洗い、乾かすため水切りカゴに入れているとき、すぐ近くの水道を使用すると、水が跳ね食器に付着する場合がある。
【先行技術文献】
【特許文献】
【０００３】
【特許文献１】特開２００４−２５５１４１
【特許文献２】実開平６−２１５６９
【考案の概要】
【考案が解決しようとする課題】
【０００６】特開２００４−２５５１４１の文献は、服を水滴から守ることは出来るが、食器を守ることは出来ない。
実開平６−２１５６９の文献のように、蓋付きの水切りカゴがあるが、開け閉めの手間があり、コストも上がってしまう。従ってオープンタイプの水切りカゴが今も多く活用されている。
【課題を解決するための手段】
【０００７】水切りカゴの横にプラスチックの板を立てる事により、食器に水滴が跳ねることを防ぐ。
【考案の効果】
【０００８】上記の案により、蓋付き水切りカゴのように開け閉めの手間なく、従来のオープンタイプの水切りカゴとも併用することができ、低コストで水滴から食器を守ることが出来る。
【図面の簡単な説明】
【０００９】
【図１】本考案の食器用水跳ね防止板の実施例で、底面がＴ字となったｔｙｐｅ．Ｔの正面図と側面図。
【図２】本考案の食器用水跳ね防止板の実施例で、底面がＬ字となったｔｙｐｅ．Ｌの正面図と側面図。
【実施例】
【００１０】以下、添付図面に従って一実施例を説明する。２５ｃｍ×３５ｍ程度のプラスチック板にＴ字の足を付け立たせる（図１ｔｙｐｅ．Ｔ）。それを、食器の水切りカゴの横に置き水滴をガードする。【００１１】また、流し場と水切りカゴの間が狭くｔｙｐｅ．Ｔが設置できない場合、底面がＬ字になったものを使用する（図２ｔｙｐｅ．Ｌ）。ｔｙｐｅ．Ｌは底面を食器カゴの下に敷き安定させる。【００１２】また、水切りカゴから出た水が仕切り板の底面に溜まる場合がある為、仕切り板の底面に切込みを入れ、水の通り道を作る。（図１‐２）
【符号の説明】
【００１３】１    仕切り板本体
２    切込み
【図１】
0003215396.tif 000003
【図２】
0003215396.tif 000004
【手続補正書】
【提出日】平成29年10月29日(2017.10.29)
【手続補正１】
【補正対象書類名】実用新案登録請求の範囲
【補正対象項目名】全文
【補正方法】変更
【補正の内容】
【実用新案登録請求の範囲】
【請求項１】
プラスチック板にＴ字の足を付け、立たせ、食器の水切りカゴの横に設置することで、水切りカゴの中の食器に向かい飛び跳ねる水滴が、食器に付着することを防ぐ仕切り板。
また、流し場と水切りカゴの間が狭く、Ｔ字の仕切り板の設置が難しい場合は、底面がＬ字になったプラスチック板を使用し、底面を食器カゴの下に敷き、仕切り板を安定させる。
【手続補正書】
【提出日】平成29年12月25日(2017.12.25)
【手続補正１】
【補正対象書類名】実用新案登録請求の範囲
【補正対象項目名】全文
【補正方法】変更
【補正の内容】
【実用新案登録請求の範囲】
【請求項１】
側面が逆Ｔ字となるような底面を有するプラスチック板、または、側面がＬ字となるような底面を有するプラスチック板からなることを特徴とする食器水切りカゴ用仕切り板。